(57)【要約】 【課題】  大きさの異なる被梱包物に対して容易に適合させて梱包することができるコーナ用梱包装置を提供する。【解決手段】  直方体状の被梱包物２の後方下部の一方の出隅部３に装着される第１梱包体４ａと、前記被梱包物２の後方下部の他方の出隅部５に装着される第２梱包体４ｂとを、連結部材７によって相互に近接および離反する方向Ａに変位自在に連結する。【選択図】      図１
2007176528.tif 000002
【特許請求の範囲】
【請求項１】
直方体状の被梱包物の一方の出隅部に装着される第１梱包体と、
前記被梱包物の他方の出隅部に装着される第２梱包体と、
前記第１および第２梱包体を、相互に近接および離反する方向に変位自在に連結する連結部材とを含むことを特徴とするコーナ用梱包装置。
【請求項２】
前記第１梱包体は、前記連結部材の長手方向一端部が前記近接および離反する方向に変位自在に挿入する第１案内筒部を有し、
前記第２梱包体は、前記連結部材の長手方向他端部が前記近接および離反する方向に変位自在に挿入する第２案内筒部を有することを特徴とする請求項１記載のコーナ用梱包装置。
【請求項３】
前記第１案内筒部内には、前記連結部材の長手方向一端部が当接する第１当接部が設けられ、
前記第２案内筒部内には、前記連結部材の長手方向他端部が当接する第２当接部が設けられることを特徴とする請求項２記載のコーナ用梱包装置。
【請求項４】
前記第１および第２梱包体は、前記案内筒部に連なって形成される支持壁部を有し、
各支持壁部の前記被梱包物に臨む面には、前記被梱包物を支持する補強パッドが設けられることを特徴とする請求項１〜３のいずれか１つに記載のコーナ用梱包装置。
【請求項５】
前記第１および第２梱包体は、段ボールからなることを特徴とする請求項１〜４のいずれか１つに記載のコーナ用梱包装置。
【請求項６】
コーナ用梱包装置であって、
直方体状の被梱包物の一方の出隅部に装着される第１梱包体と、
前記被梱包物の他方の出隅部に装着される第２梱包体と、
前記第１および第２梱包体を、相互に近接および離反する方向に変位自在に連結する連結部材とを含み、
前記第１梱包体は、前記連結部材の長手方向一端部が前記近接および離反する方向に変位自在に挿入する第１案内筒部を有すると共に、前記第２梱包体は、前記連結部材の長手方向他端部が前記近接および離反する方向に変位自在に挿入する第２案内筒部を有することを特徴とするコーナ用梱包装置。
【請求項７】
コーナ用梱包装置であって、
直方体状の被梱包物の一方の出隅部に装着される第１梱包体と、
前記被梱包物の他方の出隅部に装着される第２梱包体と、
前記第１および第２梱包体を、相互に近接および離反する方向に変位自在に連結する連結部材とを含み、
前記第１梱包体は、前記連結部材の長手方向一端部が前記近接および離反する方向に変位自在に挿入する第１案内筒部を有すると共に、前記第２梱包体は、前記連結部材の長手方向他端部が前記近接および離反する方向に変位自在に挿入する第２案内筒部を有し、
前記第１案内筒部内には、前記連結部材の長手方向一端部が当接する第１当接部が設けられると共に、前記第２案内筒部内には、前記連結部材の長手方向他端部が当接する第２当接部が設けられることを特徴とするコーナ用梱包装置。
【発明の詳細な説明】
【技術分野】
【０００１】
本発明は、自動販売機などによって代表される大形でかつ重量の大きい直方体状の被梱包物のコーナ部に装着されるコーナ部用梱包装置に関する。
【０００２】
本発明においてコーナ部とは、被梱包物の上縁前部、上縁後部、上縁側部、下縁前部、下縁後部および下縁側部などの直線状の稜線を介して被梱包物の出隅部と出隅部とが隣接して存在するような部位をいう。
【背景技術】
【０００３】
特許文献１に示される従来の技術では、被梱包物である自動販売機の上下端の前後４つの出隅部に、段ボール製のカバー部材をそれぞれ設け、これらのカバー部材を結束バンドによって縛り付け、自動販売機の保管時および輸送時に他物体との接触によって損傷することを防止している。
【０００４】
各カバー部材は、自動販売機の本体の前面を閉塞する前扉の上部を覆う前面上部被覆部と、本体の天面の前部を覆う天面被覆部と、前面上部被覆部と天面被覆部とを繋ぐ連繋部とを有する。
【０００５】
前記前面上部被覆部は、段ボール紙を角筒状に折り曲げて形成した角紙管をコ字状に形成した上外殻部と、上外殻部の内方にコ字状に折り曲げた複数枚の段ボール板を前後方向に積み重ねて充填した上コア部から成る上部衝撃吸収部を備える。
【０００６】
前記天面被覆部は、天面の上方に水平に設けられる上平板部と、上平板部の下面に段ボール板を複数枚積み重ねて形成した重厚部とから成る天面衝撃吸収部を備える。
【０００７】
前記連繋部は、段ボール板を２枚重ね合わせて構成され、外殻部の上端と上平板部の前端を繋ぐとともに、前扉上端の曲面と当接しながら斜め上方に向けて傾斜する平板を備える。
【０００８】
前記重厚部は、前扉と本体との間で上方に突出して設けられた隙間カバー部材の後側に設けられる。
【０００９】
このように構成されたカバー部材は、自動販売機の前面上部に装着した状態において、上外殻部、連繋部の平板および重厚部の３箇所が自動販売機の前扉の前面上部、前扉の上端および本体の天面前部に当接し、かつ重厚部は隙間カバー部材の後側に係止されるため、カバー部材を予め定められた位置に確実に設けることができ、梱包作業を容易化することができる。
【００１０】
また、連繋部の平板は結束バンドによって上側から前扉の上端の曲面に直接押し付けられて自動販売機に縛り付けられるため、梱包後のカバー部材は自動販売機との密着度が増して、前後に位置ずれしにくくすることができる。
【００１１】
前述の特許文献１に示される従来の技術では、自動販売機の損傷を防止するため、自動販売機の上下端の前後４つの隅部に段ボール製のカバー部材が装着されるが、各カバー部材は自動販売機の大きさ、すなわち上部前側の左右の出隅部間の距離、上部後側の左右の出隅部間の距離、下部前側の左右の出隅部間の距離、および下部後側の左右の出隅部間の距離に応じた幅に調整することができないため、自動販売機の大きさが異なると、その自動販売機の大きさに適合したカバー部材を新たに製作しなければならず、カバー部材の種類が多くなってしまうという問題がある。
【００１２】
特許文献２に示される従来の技術では、被梱包物である商品をトレイ状箱に入れ、その四隅に４本の支柱材を立設し、各支柱材の上部に蓋箱を被せて前記商品を覆い、前記トレイ状箱および蓋箱間にバンドを巻き掛けて締結することによって、前記商品を梱包している。これらのトレイ状箱、４つの支柱材および蓋箱は、段ボールから成る。
【００１３】
前記各支柱材は、１つの芯材と２つの筒体とによって構成される。前記芯材となる段ボールシートには、縦方向に３本の第１折目線と、第１折目線に直交する１本の第２折目線とが形成され、各第１折目線を折り曲げて重ね合わせることによって、前記芯材が形成される。
【００１４】
前記筒体となる段ボールシートには、全周にわたって切目線が形成される。この切目線は、筒体に芯材を挿入した状態において、芯材の第２折目線とは異なる位置に形成され、支柱材として使用するときには支柱としての強度を発揮することができ、使用しないときには芯材を筒体から抜き出して、芯材は第２折目線で折り畳み、筒体は切目線で折り畳むことによって、コンパクト化を図ることができるように構成されている。
【００１５】
このような従来の技術では、各支柱の長さを調整することができないため、前述の特許文献１と同様に、大きさの異なる商品に対しては、商品の上部に蓋箱を装着することができず、商品の大きさに適合した支柱を製作しなければならず、支柱の種類が多くなってしまうという問題がある。
【００１６】
【特許文献１】特開２００３−２９２０２１号公報
【特許文献２】実開平６−２０２６６号公報
【発明の開示】
【発明が解決しようとする課題】
【００１７】
本発明の課題は、大きさの異なる被梱包物に対して容易に適合させて梱包することができるコーナ用梱包装置を提供することである。
【課題を解決するための手段】
【００１８】
本発明は、直方体状の被梱包物の一方の出隅部に装着される第１梱包体と、
前記被梱包物の他方の出隅部に装着される第２梱包体と、
前記第１および第２梱包体を、相互に近接および離反する方向に変位自在に連結する連結部材とを含むことを特徴とするコーナ用梱包装置である。
【００１９】
本発明に従えば、第１梱包体が直方体状の被梱包物の一方の出隅部に装着され、第２梱包体が前記被梱包物の他方の出隅部に装着される。前記第１梱包体と第２梱包体とは、連結部材によって相互に近接および離反する方向に変位自在に連結される。前記直方体状の被梱包物とは、たとえば自動販売機であり、直線状の稜線を介して出隅部と出隅部とが隣接するコーナ部を被覆して、損傷を防止することができる。前記被梱包物の大きさが異なる場合であっても、第１梱包体と第２梱包体とが連結部材によって互いに近接および離反する方向に変位自在であるので、第１および第２梱包体の間隔を前記大きさの異なる被梱包物に合致するように調整して、その被梱包物に適合させることができる。
【００２０】
これによって、被梱包物の大きさが相違しても、同じ形態または部分的に変更した形態の第１および第２梱包体ならびに連結部材を用いることができる。前記部分的に変更した形態とは、たとえば連結部材の長さは変化させずに、第１および第２梱包体の前記連結部材が挿入される挿入完了位置を変化させてもよく、あるいは前記連結部材自体の長さを変化させてもよい。
【００２１】
また本発明は、前記第１梱包体は、前記連結部材の長手方向一端部が前記近接および離反する方向に変位自在に挿入する第１案内筒部を有し、
前記第２梱包体は、前記連結部材の長手方向他端部が前記近接および離反する方向に変位自在に挿入する第２案内筒部を有することを特徴とする。
【００２２】
本発明に従えば、前記第１梱包体は第１案内筒部を有し、前記第２梱包体は第２案内筒部を有するので、第１および第２梱包体を前記近接および離反する方向に変位させても連結部材に沿った直線変位が可能であり、被梱包物への第１および第２梱包体の位置決めを容易化することができる。
【００２３】
また本発明は、前記第１案内筒部内には、前記連結部材の長手方向一端部が当接する第１当接部が設けられ、
前記第２案内筒部内には、前記連結部材の長手方向他端部が当接する第２当接部が設けられることを特徴とする。
【００２４】
本発明に従えば、前記第１案内筒部内に第１当接部が設けられ、前記第２案内筒部内に第２当接部が設けられるので、連結部材の長手方向両端部が第１および第２案内筒部内で第１および第２当接片に当接し、第１梱包体と第２梱包体とが被梱包物の各出隅部間の幅を超えて過剰に接近してしまうことが防がれる。これによって、第１および第２梱包体の各案内筒部ならびに連結部材が折れ曲がり、被梱包物の輸送中などに、第１および第２梱包体が連結部材とともに被梱包物から脱落してしまうことが防がれる。
【００２５】
また本発明は、前記第１および第２梱包体は、前記案内筒部に連なって形成される支持壁部を有し、
各支持壁部の前記被梱包物に臨む面には、前記被梱包物を支持する補強パッドが設けられることを特徴とする。
【００２６】
本発明に従えば、前記第１および第２梱包体は支持壁部を有し、この支持壁部の被梱包物に臨む面には補強パッドが設けられるので、たとえば自動販売機などのような重量の大きい被梱包物であっても、前記支持壁部上の補強パッドによって被梱包物の重量が分散され、支持壁部への被梱包物の重量が局部的に作用することを緩和し、支持壁部の圧潰およびこれに伴なう第１および第２梱包体の変形による破損を防止することができる。
【００２７】
また本発明は、前記第１および第２梱包体は、段ボールからなることを特徴とする。
本発明に従えば、前記第１および第２梱包体が段ボールからなるので、前述にように被梱包物の大きさの変化に適合することができる軽量で強度が高い第１および第２梱包体を安価に実現することができる。
【発明の効果】
【００２８】
本発明によれば、被梱包物の大きさが異なる場合であっても、第１梱包体と第２梱包体とが連結部材によって互いに近接および離反する方向に変位自在であるので、第１および第２梱包体の間隔を前記大きさの異なる被梱包物に合致するように調整して、その被梱包物に容易に適合させることができる。
【発明を実施するための最良の形態】
【００２９】
図１は本発明の実施の一形態のコーナ用梱包装置１を正面側斜め上方から見た斜視図であり、図２は図１の切断面線ＩＩ−ＩＩから見た拡大断面図であり、図３は図１の切断面線ＩＩＩ−ＩＩＩから見た拡大断面図であり、図４は図１の切断面線ＩＶ−ＩＶから見た拡大断面図である。本実施の形態は、一例として、自動販売機である直方体状の被梱包物２の後方下部に装着されるコーナ用梱包装置１について説明する。なお、本実施の形態においてコーナ部とは、被梱包物の上縁前部、上縁後部、上縁側部、下縁前部、下縁後部および下縁側部などの直線状の稜線を介して被梱包物の出隅部と出隅部とが隣接して存在するような部位をいう（以下同じ）。
【００３０】
前記コーナ用梱包装置１は、直方体状の被梱包物２の後方下部の一方の出隅部３に装着される第１梱包体４ａと、前記被梱包物２の後方下部の他方の出隅部５に装着される第２梱包体４ｂと、前記第１および第２梱包体４ａ，４ｂを、相互に近接および離反する方向Ａに変位自在に連結する連結部材７とを含む。
【００３１】
前記第１梱包体４ａは、前記連結部材７の長手方向一端部が前記近接および離反する方向Ａに変位自在に挿入する第１案内筒部９ａと、第１案内筒部９ａを外側から補強する外部補強部１０ａと、側壁部１１ａとを有し、前記第１案内筒部９ａ内には前記連結部材７の長手方向一端部が当接する第１当接部１２ａと、第１案内筒部９ａを内側から補強する内部補強部１５ａとが設けられる。
【００３２】
また、前記第２梱包体４ｂは、前記連結部材７の長手方向他端部が前記近接および離反する方向Ａに変位自在に挿入する第２案内筒部９ｂと、第１案内筒部９ｂを外側から補強する外部補強部１０ｂと、側壁部１１ｂとを有し、前記第２案内筒部９ｂ内には前記連結部材７の長手方向他端部が当接する第２当接部１２ｂと、第２案内部９ｂを内側から補強する内部補強部１５ｂとが設けられる。
【００３３】
また前記第１および第２梱包体４ａ，４ｂは、前記被梱包物２を支持する台形状の支持壁部１３ａ，１３ｂを有し、各支持壁部１３ａ，１３ｂの前記被梱包物２に臨む面には補強パッド１４ａ，１４が接着剤などによって貼り付けられる。
【００３４】
これらの第１および第２梱包体４ａ，４ｂは、前記近接および離反する方向Ａに垂直な仮想一平面Ｍに関して左右対称に構成されるため、他方の第２梱包体４ｂについては重複を避けて説明は省略する。
【００３５】
図５は連結部材７を示す斜視図であり、図６（１）〜図６（３）は図５の切断面線ＶＩ−ＶＩから見た拡大断面図であり、図６（１）は本発明の実施の一形態の連結部材７の断面を示し、図６（２）は本発明の実施の他の形態の連結部材７ａの断面を示し、図６（３）は本発明の実施のさらに他の形態の連結部材７ｂの断面を示す。本発明の実施の一形態で用いられる前記連結部材７は、２枚の厚手紙からなるライナ２０ａ，２０ｂ間に段ボールからなる芯材２１を挟持した構成が採用される。各ライナ２０ａ，２０ｂは、前記芯材２１に接着剤によって貼着されている。本実施の形態では、前記芯材２１は、断面が六角形または八角形などの多角形の複数の筒状セル２２が面方向に連続した構成とされるが、本実施の形態に類似する他の形態では、前記芯材２１が厚手紙を複数積層した構成であってもよい。
【００３６】
前記ハニカム状の芯材２１は、各筒状セル２２が図６（１）の左右方向である短辺方向に対して平行となるように前記角紙管２０に挿入される。これによってコーナ用梱包装置１が被梱包物２の後方下部に装着された状態では、連結部材７の長辺側の一表面が前記被梱包物２の後方下部表面に対向し、各筒状セル２２は前記被梱包物２の後方下部表面に垂直に配置され、前記被梱包物２の後方下部表面に対して垂直に作用する外力に対して大きな圧縮強度で抗することができる。
【００３７】
また本発明の実施の他の形態では、図６（２）に参照符７ａで示されるように、断面が長方形の長尺の角紙管２０内に、図６（１）と同様なハニカム状の芯材２１が内挿され、角紙管２０の内面に貼着された構成とされる。このような連結部材７ａを、前記連結部材７に代えて用いるようにしてもよい。
【００３８】
さらに本発明の実施の他の形態では、図６（３）に参照符７ｂで示されるように、段ボールを螺旋状に折り返して接着剤によって相互に対向する表面を接着した構成であってもよい。
【００３９】
図７は第１梱包体４ａを展開したブランク３０ａを示す内装ライナを手前にした正面図であり、図解を容易にするため部分的に切欠いて示されている。図１〜４をも参照して、前記第１梱包体４ａは、単一枚の段ボールを打ち抜いた１枚のブランク３０ａを、同図に破線で示される折曲げ線に沿って折り曲げることによって、図１のように立体的に組み立てられる。
【００４０】
前記ブランク３０ａは、段ボールから成り、断面が凹凸状の中芯２１の前記凹凸が繰り返される方向である流れ方向をＭＤ、流れ方向ＭＤに垂直な方向をＴＤとしたとき、前記支持壁部形成部１３ａ’に長方形の底部３１ａが流れ方向ＭＤに沿って連なり、これらの支持壁部形成部１３ａ’および底部３１ａの流れ方向ＭＤに垂直な方向ＴＤの一側縁部には、前記第１案内筒部９ａを構成する第１〜第４折曲げ片３２ａ〜３５ａが前記流れ方向ＭＤに平行な折曲げ線３６ａ〜３９ａを介して、前記流れ方向ＭＤに垂直な方向ＴＤに連なって形成される。前記第１折曲げ片３２ａには、後述する差込み片８０ａを差し込むための差込み孔４０ａが流れ方向ＭＤに延びて形成される。
【００４１】
前記支持壁部形成部１３ａ’の流れ方向ＭＤの一側縁部には、前記側壁部１１ａを構成する第１〜第６折曲げ片４１ａ〜４６ａが前記流れ方向ＭＤに垂直な方向ＴＤに平行な折曲げ線４７ａ〜５２ａを介して、前記流れ方向ＭＤに連なって形成される。
【００４２】
前記底部３１ａの流れ方向ＭＤに垂直な方向ＴＤの他側縁部には、前記外部補強部１０ａを構成する第１〜第７折曲げ片５５ａ〜６１ａが前記流れ方向ＭＤに平行な折曲げ線６３ａ〜６９ａを介して、前記流れ方向ＭＤに垂直な方向ＴＤに連なって形成される。前記第２および第３折曲げ片４２ａ，４３ａと、前記第５および第６折曲げ片４５ａ，４６ａとは、各折曲げ線６３ａ〜６９ａに垂直な切込み５４ａによって分断されている。
【００４３】
前記第１案内筒部９ａの第３折曲げ片３４ａの流れ方向ＭＤに垂直な方向ＴＤの一側縁部には、前記第１当接片１２ａを構成する第１〜第４折曲げ片７１ａ〜７４ａが折曲げ線７６ａ〜７９ａを介して連なって形成される。第１折曲げ片７１ａと第１案内筒部９ａの第３折曲げ片３４ａに連なる差込み片８０ａとは、切込み８１ａによって分離される。前記第１折曲げ片７１ａと第４折曲げ片７４ａとは、切込み８２ａによって分離され、第４折曲げ片７４ａと差込み片８０ａとは切込み９９ａによって分断される。さらに第１折曲げ片７４ａと第１案内筒部９ａの第４折曲げ片３５ａとは、切込み８３ａによって分離される。
【００４４】
前記第１案内筒部９ａの第３折曲げ片３４ａの前記一側縁部には、前記内部補強部１５ａを構成する第１〜第４折曲げ片９０ａ〜９３ａが折曲げ線９４ａ〜９７ａを介して連なって形成される。第１折曲げ片９０ａと第４折曲げ片９３ａとは、切込み１００ａによって分断される。また前記第４折曲げ片９３ａと前記第１案内筒部９ａの差込み片８０ａとは、切込み１０１ａによって分断される。
【００４５】
前記第１案内筒部９ａの第１折曲げ片３２ａの流れ方向ＭＤの一側縁部には、第１〜第５折曲げ片１１０ａ〜１１４ａが折曲げ線１２０ａ〜１２４ａを介して連なって形成される。
【００４６】
図８は第２梱包体４ｂを展開したブランク３０ｂを示す内装ライナを手前にした正面図であり、図解を容易にするため部分的に切欠いて示されている。図１〜４をも参照して、前記第２梱包体４ｂは、単一枚の段ボールを打ち抜いた１枚のブランク３０ｂを、同図に破線で示される折曲げ線に沿って折り曲げることによって、図１のように立体的に組み立てられる。
【００４７】
前記ブランク３０ｂは、段ボールから成り、断面が凹凸状の中芯２１の前記凹凸が繰り返される方向である流れ方向をＭＤ、流れ方向ＭＤに垂直な方向をＴＤとしたとき、前記支持壁部形成部１３ｂ’に長方形の底部３１ｂが流れ方向ＭＤに沿って連なり、これらの支持壁部形成部１３ｂ’および底部３１ｂの流れ方向ＭＤに垂直な方向ＴＤの一側縁部には、前記第２案内筒部９ｂを構成する第１〜第４折曲げ片３２ｂ〜３５ｂが前記流れ方向ＭＤに平行な折曲げ線３６ｂ〜３９ｂを介して、前記長柄方向ＭＤに垂直な方向ＴＤに連なって形成される。前記第１折曲げ片３２ｂには、後述する差込み片８０ｂを差し込むための差込み孔４０ｂが流れ方向ＭＤに延びて形成される。
【００４８】
前記支持壁部形成部１３ｂ’の流れ方向ＭＤの一側縁部には、前記側壁部１１ｂを構成する第１〜第６折曲げ片４１ｂ〜４６ｂが前記流れ方向ＭＤに垂直な方向ＴＤに平行な折曲げ線４７ｂ〜５２ｂを介して、前記流れ方向ＭＤに連なって形成される。
【００４９】
前記底部３１ｂの流れ方向ＭＤに垂直な方向ＴＤの他側縁部には、前記外部補強部１０ｂを構成する第１〜第７折曲げ片５５ｂ〜６１ｂが前記流れ方向ＭＤに平行な折曲げ線６３ｂ〜６９ｂを介して、前記流れ方向ＭＤに垂直な方向ＴＤに連なって形成される。前記第２および第３折曲げ片４２ｂ，４３ｂと、前記第５および第６折曲げ片４５ｂ，４６ｂとは、各折曲げ線６３ｂ〜６９ｂに垂直な切込み５４ｂによって分断されている。
【００５０】
前記第２案内筒部９ｂの第３折曲げ片３４ｂの流れ方向ＭＤに垂直な方向ＴＤの一側縁部には、前記第２当接片１２ｂを構成する第１〜第４折曲げ片７１ｂ〜７４ｂが折曲げ線７６ｂ〜７９ｂを介して連なって形成される。第１折曲げ片７１ｂと第２案内筒部９ｂの第３折曲げ片３４ｂに連なる差込み片８０ｂとは、切込み８１ｂによって分離される。前記第１折曲げ片７１ｂと第４折曲げ片７４ｂとは、切込み８２ｂによって分離され、第４折曲げ片７４ｂと差込み片８０ｂとは切込み９９ｂによって分断される。さらに第１折曲げ片７４ｂと第２案内筒部９ｂの第４折曲げ片３５ｂとは、切込み８３ｂによって分離される。
【００５１】
前記第２案内筒部９ｂの第３折曲げ片３４ｂの前記一側縁部には、前記内部補強部１５ｂを構成する第１〜第４折曲げ片９０ｂ〜９３ｂが折曲げ線９４ｂ〜９７ｂを介して連なって形成される。第１折曲げ片９０ｂと第４折曲げ片９３ｂとは、切込み１００ｂによって分断される。また前記第４折曲げ片９３ｂと前記第２案内筒部９ｂの差込み片８０ｂとは、切込み１０１ｂによって分断される。
【００５２】
前記第２案内筒部９ｂの第１折曲げ片３２ｂの流れ方向ＭＤの一側縁部には、第１〜第５折曲げ片１１０ｂ〜１１４ｂが折曲げ線１２０ｂ〜１２４ｂを介して連なって形成される。
【００５３】
図９は補強パッド１４ａの分解斜視図である。前記補強パッド１４ａは、厚さ３ｍｍのクラフトボードから成る基板１３０上に、相互に間隔をあけて平行にコア材１３１，１３２が貼着され、各コア材１３１，１３２上に厚さ１ｍｍの合紙から成る蓋材１３３，１３４を貼着して構成される。他方の補強パッド１４ｂは、前記一方の補強パッド１４ａと同様に構成される。これらの補強パッド１４ａ，１４ｂは、第１および第２梱包体４ａ，４ｂの支持壁部１３ａ，１３ｂに接着される。
【００５４】
このような構成によれば、第１梱包体４ａが直方体状の被梱包物２の一方の出隅部３に装着され、第２梱包体４ｂが前記被梱包物２の他方の出隅部５に装着される。前記第１梱包体４ａと第２梱包体４ｂとは、連結部材７によって相互に近接および離反する方向Ａに変位自在に連結される。このようなコーナ用梱包装置１によって、自動販売機などである被梱包物２の直線状の稜線を介して出隅部３と出隅部５とが隣接するコーナ部を被覆して、損傷を防止することができる。
【００５５】
前記被梱包物２の大きさが異なる場合であっても、第１梱包体４ａと第２梱包体４ｂとが連結部材７によって互いに近接および離反する方向Ａに変位自在であるので、第１および第２梱包体４ａ，４ｂの間隔ΔＬを前記大きさの異なる被梱包物に合致するように調整して、その被梱包物に適合させることができる。
【００５６】
これによって、被梱包物２の大きさが相違しても、同じ形態または部分的に変更した形態の第１および第２梱包体４ａ，４ｂならびに連結部材７を用いることができる。前記部分的に変更した形態とは、たとえば連結部材７の長さは変化させずに、第１および第２梱包体４ａ，４ｂの前記連結部材７が挿入される挿入完了位置を変化、すなわち第１および第２当接部１２ａ，１２ｂの位置を変化させてもよく、あるいは前記連結部材７自体の長さを変化させてもよい。
【００５７】
また前記第１梱包体４ａは第１案内筒部９ａを有し、前記第２梱包体４ｂは第２案内筒部９ｂを有するので、第１および第２梱包体４ａ，４ｂを前記近接および離反する方向Ａに変位させても連結部材７に沿った直線変位が可能であり、被梱包物２への第１および第２梱包体４ａ，４ｂの位置決めを容易化することができる。
【００５８】
また前記第１案内筒部９ａ内に第１当接部１２ａが設けられ、前記第２案内筒部９ｂ内に第２当接部１２ｂが設けられるので、連結部材７の長手方向両端部が第１および第２案内筒部９ａ，９ｂ内で第１および第２当接片１２ａ，１２ｂに当接し、第１梱包体４ａと第２梱包体４ｂとが被梱包物２の各出隅部３，５間の幅を超えて過剰に接近してしまうことが防がれる。これによって、第１および第２梱包体４ａ，４ｂの各案内筒部９ａ，９ｂならびに連結部材７が折れ曲がり、被梱包物２の輸送中などに、第１および第２梱包体４ａ，４ｂが連結部材７とともに被梱包物２から脱落してしまうことが防がれる。
【００５９】
また、前記第１および第２梱包体４ａ，４ｂは支持壁部１３ａ，１３ｂを有し、この支持壁部１３ａ，１３ｂの被梱包物２に臨む面には補強パッド１４ａ，１４ｂが設けられるので、自動販売機などのような重量の大きい被梱包物２であっても、前記支持壁部１３ａ，１３ｂ上の補強パッド１４ａ，１４ｂによって被梱包物２の重量が分散され、支持壁部１３ａ，１３ｂへの被梱包物２の重量の局部的な作用を緩和し、支持壁部１３ａ，１３ｂの圧潰およびこれに伴なう第１および第２梱包体４ａ，４ｂの変形による破損を防止することができる。このように前記補強パッド１４ａ，１４ｂによって被梱包物２からの荷重が分散されるので、複数の被梱包物２を積重するいわゆる段積みが可能となり、省スペース化を図ることができる。
【００６０】
また、前記第１および第２梱包体４ａ，４ｂが段ボール、さらに詳しくはブランク３０ａ，３０ｂからなるので、前述にように被梱包物２の大きさの変化に適合することができる軽量で強度が高い第１および第２梱包体４を安価に実現することができる。
【００６１】
以上の実施の各形態では、コーナ用梱包装置を被梱包物の下縁前部および下縁後部に装着した構成について述べたが、本発明はこれに限るものではなく、被梱包物の左右の下縁側に装着されてもよく、さらに被梱包物の上縁前部、上縁後部、左右の上縁側部に装着することが可能であり、前述の実施の各形態と同様な効果を達成することができる。
【００６２】
また、被梱包物の形態が小さい場合には、連結部材７，７ａ，７ｂを切断して短くすることによって各梱包体４ａ，４ｂ間の間隔ΔＬを小さくすることができ、さらに被梱包物の形態が小さい場合には、各梱包体４ａ，４ｂの案内筒部９ａ，９ｂの相互に対向する部位側を最適な長さに切断すればよい。これによってコーナ用梱包装置の構成を大きく変更せず、大きさの異なる被梱包物に対して広く用いることが可能となり、汎用性が向上される。
【図面の簡単な説明】
【００６３】
【図１】本発明の実施の一形態のコーナ用梱包装置１を正面側斜め上方から見た斜視図である。
【図２】図１の切断面線ＩＩ−ＩＩから見た拡大断面図である。
【図３】図１の切断面線ＩＩＩ−ＩＩＩから見た拡大断面図である。
【図４】図１の切断面線ＩＶ−ＩＶから見た拡大断面図である。
【図５】連結部材７を示す斜視図である。
【図６】図５の切断面線ＶＩ−ＶＩから見た拡大断面図である。
【図７】第１梱包体４ａを展開したブランク３０ａを示す内装ライナを手前にした正面図である。
【図８】第２梱包体４ｂを展開したブランク３０ｂを示す内装ライナを手前にした正面図である。
【図９】補強パッド１４ａの分解斜視図である。
【符号の説明】
【００６４】
１  コーナ用梱包装置
２  被梱包物
３  一方の出隅部
４ａ，４ｂ  梱包体
５  他方の出隅部
７  連結部材
９ａ，９ｂ  案内筒部
１０ａ，１０ｂ  外部補強部
１１ａ  側壁部
１１ｂ  側壁部
１２ａ，１２ｂ  当接部
１３ａ，１３ｂ  支持壁部
１４ａ，１４ｂ  補強パッド
１５ａ，１５ｂ  内部補強部
２０  角紙管
２１  芯材
３０ａ，３０ｂ  ブランク
Ａ  近接および離反する方向
【図１】
2007176528.tif 000003
【図２】
2007176528.tif 000004
【図３】
2007176528.tif 000005
【図４】
2007176528.tif 000006
【図５】
2007176528.tif 000007
【図６】
2007176528.tif 000008
【図７】
2007176528.tif 000009
【図８】
2007176528.tif 000010
【図９】
2007176528.tif 000011